(57)【要約】【課題】本発明は、天秤が高速で着水する事で、天秤の着水時形状の変化による糸絡みや、着水後の不安定な水中軌道や水中姿勢による糸絡みや、投げる時の仕掛けの暴れによる糸絡みに対して、遠投性を阻害しない構成で課題を解決する天秤を提供する事を目的としている。さらにはルアーなどの仕掛け負荷が大きい場合においても糸絡みしない天秤を提供する事も目的としている。【解決手段】着水後の不安定な水中軌道や水中姿勢による糸絡みを防止するために、天秤の仕掛け側抵抗と道糸側抵抗が均一になる二等辺三角形に構成したことと、二等辺三角形に構成したことにより、第２の腕体３を着水後の尾翼として強力に機能させた事と、三角形に構成し剛性を高めたことにより、着水時の天秤の剛性や、投げる時の仕掛けの暴れによる糸絡みを解決しているものである。【選択図】図１
2011217704.tif 000002
【特許請求の範囲】
【請求項１】
本発明は、投げ釣りに使う天秤であって、道糸とオモリを連結する吊り手と、仕掛けとオモリを連結する第１の腕体と、道糸と仕掛けを連結する第２の腕体を、第２の腕体を底辺とする二等辺三角形に形成し、オモリ連結部から見て、道糸連結側の半分の形状と、仕掛け連結側の半分の形状を対称な形状としている事を特徴とする天秤。
【発明の詳細な説明】
【技術分野】
【０００１】
本発明は、投げ釣り用の天秤に関する。
【背景技術】
【０００２】
従来の投げ釣り用天秤の糸絡み対策は、飛行中に起こる糸絡み対策が主体に論じられている事が多く、天秤が高速で着水する事で、天秤の着水時の腕の形状変化による糸絡みに着目した解決や、着水後の水中でのカーブ軌道による糸絡みに着目した解決や、投げる時の仕掛けの暴れによる糸絡みに着目した解決を主体に論じられた構造の天秤は発明されてなかった。
【０００３】
従来の投げ釣り用天秤の糸絡み対策としては、天秤の腕の長さにより解決していたため、糸絡み対策を重点にした天秤は飛行中の空気抵抗が大きくなり遠投性を阻害するものであった。
【０００４】
また、投げ釣り用天秤で空気抵抗が大きいもの、例えばルアーを投げたいと考える人も多いが、従来の天秤では、ルアーの重さや抵抗の大きさによって、天秤の腕が曲がってしまい、従来の投げ釣り用天秤では糸絡みしないでルアーを投げる事は困難であった。
【０００５】
着水時や着水後の糸絡み対策ではないが、飛行中に起こる糸絡み対策が主体に論じられているものとして実用新案登録第３１０６２９６号公報に開示してあるものが知られている。
【先行技術文献】
【特許文献】
【０００６】
【特許文献１】実用新案登録第３１０６２９６号公報
【発明の概要】
【発明が解決しようとする課題】
【０００７】
本発明は、天秤が高速で着水する事で、天秤の着水時形状の変化による糸絡みや、着水後の不安定な水中軌道や水中姿勢による糸絡みや、投げる時の仕掛けの暴れによる糸絡みに対して、遠投性を阻害しない構成で課題を解決する天秤を提供するものである。具体的には以降の第１から第３の課題を解決するものである。
【０００８】
第１の課題として、天秤は飛行して高速で着水していくが、この着水時点で受ける大きな水圧により、天秤の腕が屈曲し、天秤の道糸と仕掛けの間隔が狭まる。この狭まりにより糸絡みが起きる原因となっている事に着目し、この着水時点での道糸と仕掛けの狭まりを解消する事を第１の課題としている。
【０００９】
第２の課題として、天秤が着水後、水中を突き進んでいく時に、天秤が不均等な水抵抗を受ける場合には、天秤はカーブした軌道で進みやすく、このようにカーブするような軌道では天秤の姿勢も不安定であり、天秤に追従する道糸と仕掛けは間隔が狭まったり捻れたり重なったりし糸絡みが起きる原因となっている事に着目し、このように天秤の水中での軌道や姿勢が不安定とならない事を第２の課題としている。
【００１０】
第３の課題として、天秤は、釣り人が投げる動作に入ると、地面を引きずりつつ加速していくが、この引きずり段階で天秤の腕が地面に当たり、腕の弾力性により仕掛けが弾かれ糸絡みが起きる原因となっていた。この弾きを軽減する天秤を提供する事を第３の課題としている。
【００１１】
特には、第２の課題については、従来はほとんど着目されてない課題であった。本発明は、糸絡みの原因として、飛行中の糸絡みよりも、むしろ着水後の天秤の不安定な軌道と姿勢による糸絡みの方が大きい事に着目し課題としている。また、水中での糸絡みが原因として大きいのであれば、飛行中での糸絡み対策としての腕の長さはさらに短く出来る事になり、着水後の水中での糸絡み対策を解決する事は、遠投性の向上に繋がるものでもあった。
【課題を解決するための手段】
【００１２】
本発明は、上述の第１の課題を解決するために、すなわち、着水時点で受ける大きな水圧でも、天秤の腕が屈曲せず、天秤の道糸と仕掛けの間隔が狭まらない構造とするために、道糸とオモリを連結する吊り手と、仕掛けとオモリを連結する第１の腕体と、道糸と仕掛けを連結する第２の腕体を、三角形に形成する事により剛性を高め、、大きな水圧が掛かる着水時の糸絡みを解決している。
【００１３】
上述の第２の課題を解決するために、すなわち、天秤が着水後、水中を突き進んでいく時に、天秤が不均等な水抵抗を受ける場合には、天秤はカーブした軌道で進みやすく、このようにカーブするような軌道では天秤の姿勢も不安定であり、天秤に追従する道糸と仕掛けは間隔が狭まったり捻れたりし、糸絡みが起きる原因となっている事に着目し、このように天秤の水中での軌道や姿勢が不安定とならないようにするための天秤の構成として、道糸とオモリを連結する吊り手と、仕掛けとオモリを連結する第１の腕体と、道糸と仕掛けを連結する第２の腕体を、第２の腕体を底辺とする二等辺三角形に形成し、オモリ連結部から見て、道糸連結側の半分の形状と、仕掛け連結側の半分の形状を対称な形状とする事により、水抵抗をバランスさせ、さらに二等辺三角形を構成する３本の部位のうち、道糸と仕掛けを連結する第２の腕体は、大きな水の抵抗を受ける尾翼となり天秤の姿勢を強力に安定させるものとしている。このような構成とする事により、道糸側と仕掛け側に多少の抵抗の差があったとしても、天秤の水中での軌道や姿勢は安定し、天秤に追従する道糸と仕掛けは間隔を保ち糸絡みを解決している。
【００１４】
上述の第３の課題を解決するために、すなわち、釣り人が投げる動作に入ると、天秤は地面を引きずりつつ加速していくが、この引きずり段階で天秤の腕が地面に当たり、腕の弾力性により仕掛けが弾かれて糸絡みが起きている事に着目し、この弾きを軽減するための天秤の構成として、道糸とオモリを連結する吊り手と、仕掛けとオモリを連結する第１の腕体と、道糸と仕掛けを連結する第２の腕体を、三角形に形成する事により、天秤の腕の弾性を抑え、仕掛けが弾かれないようにする事で、釣り人が投げる動作中における糸絡みを解決している。
【発明の効果】
【００１５】
本発明によれば、天秤の糸絡みの課題を飛行中に限定せず、着水時の腕の形状変化による糸絡みに着目した課題や、着水後の天秤の不安定な軌道や姿勢による糸絡みに着目した課題や、投げる時の仕掛けの暴れによる糸絡みに着目した課題が解決され、快適な投げ釣りが出来るものである。
【図面の簡単な説明】
【００１６】
【図１】本発明の構成を示す説明図である。
【図２】本発明の天秤に錘と道糸と仕掛けを取り付けた状況を示す説明図
【図３】従来の天秤が高速で着水した後の糸絡みのしくみを示す説明図
【発明を実施するための形態】
【００１７】
以下、本発明の実施の形態について説明する。図１は本発明の構成を示す説明図であり、図２は、本発明の天秤に錘と道糸と仕掛けを取り付けた状況を示す説明図であり、図３は、従来の天秤が高速で着水した後の糸絡みのしくみを示す垂直断面の説明図である。
【００１８】
図１は本発明の構成を示す説明図であり、道糸とオモリを連結する吊り手１と、仕掛けとオモリを連結する第１の腕体２と、道糸と仕掛けを連結する第２の腕体３を、第２の腕体３を底辺とする二等辺三角形に形成し、オモリ連結部から見て、道糸連結側の半分の形状と、仕掛け連結側の半分の形状を対称な形状としている。吊り手1と、第１の腕体２と、第２の腕体３は、一本の線材を曲げ加工し、オモリ接続部５にて重ね合わせて、固定具７にて固定している。
【００１９】
このような構造とする事により、道糸連結側の半分の形状と、仕掛け連結側の半分の形状は、オモリ連結部から見て対称な形状としている。固定具７はバネで締めているが、圧着金具でも、溶接による固定でも良い。
【００２０】
三角形に形成された線材の各頂点部は、それぞれ、道糸連結部４と、オモリ連結部５と、仕掛け連結部６であり、各頂点部は環状に形成し、糸や連結具を結んだり掛けられるようにしている。
【００２１】
オモリ連結部５には、オモリの連結具８が連結されており、連結具８にはスナップ付サルカンを使用している。
【００２２】
図２は、本発明の天秤に錘と道糸と仕掛けを取り付けた状況を示す説明図であり、道糸連結部４に道糸Bが連結され、オモリ連結部５に連結された連結具８にはオモリAが連結され、仕掛け連結部６には仕掛けCが連結されている。
【００２３】
上述の実施の形態で、第１の課題を解決するための形態としては、すなわち、着水時点で受ける大きな水圧でも、天秤の腕が屈曲せず、天秤の道糸と仕掛けの間隔が狭まらない形態としては、上述のように天秤を三角形に形成し剛性を高める事により、大きな水圧が掛かる着水時の糸絡みを解決している。
【００２４】
上述の実施の形態で、第２の課題を解決するための形態としては、すなわち、天秤が着水後、水中を突き進んでいく時に、天秤が不均等な水抵抗を受ける場合には、天秤はカーブした軌道で進みやすく、このようにカーブするような軌道では天秤の姿勢も不安定であり、天秤に追従する道糸と仕掛けは間隔が狭まったり捻れたりし、糸絡みが起きる原因となっている事に着目し、このように天秤の水中での軌道や姿勢が不安定とならないようにするための形態としては、上述のように天秤を、第２の腕体３を底辺とする二等辺三角形に形成し、オモリ連結部から見て、道糸連結側の半分の形状と、仕掛け連結側の半分の形状を対称な形状とすることにより、水抵抗をバランスさせ、さらに三角形を構成する第２の腕体３は、大きな水の抵抗を受け尾翼として天秤の姿勢を強力に安定させるものとしている。このような構成とする事により、道糸側と仕掛け側に多少の抵抗の差があったとしても、天秤の水中での軌道や姿勢は安定し、天秤に追従する道糸と仕掛けは間隔を保ち、糸絡みを解決している。
【００２５】
上述の実施の形態で、第３の課題を解決するための形態としては、すなわち、釣り人が投げる動作に入ると、天秤は地面を引きずりつつ加速していくが、この引きずり段階で天秤の腕が地面に当たり、腕の弾力性により仕掛けが弾かれて糸絡みが起きている事に着目し、この弾きを軽減するための形態としては、天秤を三角形に形成する事により、天秤の腕に弾性を抑え、仕掛けが弾かれないようにする事で、釣り人が投げる動作中における糸絡みを解決している。
【００２６】
図３は、従来の天秤が高速で着水した後の糸絡みのしくみを示す垂直断面の説明図であり、従来の天秤は着水して水中を突き進む時に、天秤がカーブした軌道で進みやすい。このようにカーブした軌道の変化に応じて天秤が回転を起こすために、天秤に追従する道糸と仕掛けは間隔が狭まったり捻れたりとなり糸絡みが起きる原因となっていた。本発明は、この事に着目して、着水後の不安定な水中軌道や水中姿勢による糸絡みを防止するために、天秤の仕掛け側抵抗と道糸側抵抗が均一になる形状とすることと、さらに天秤だけではなく、仕掛け側と道糸側に多少の抵抗差があっても、天秤の姿勢が強力に保たれるように第２の腕体３を着水後の尾翼として機能させる事により天秤の安定を図っているものである。
【産業上の利用可能性】
【００２７】
本発明は、投げ釣りで問題であった糸絡みを軽減出来る天秤として活用する事が出来る。
【符号の説明】
【００２８】
１      吊り手
２      第１の腕体
３      第２の腕体
４      道糸連結部
５      オモリ連結部
６      仕掛け連結部
７      固定具
８      連結具
A      オモリ
B      道糸
C      仕掛け
D      従来の天秤
E      海面
【図１】
2011217704.tif 000003
【図２】
2011217704.tif 000004
【図３】
2011217704.tif 000005